(57)【要約】      （修正有）【課題】コップ、歯ブラシ等を収納する二つの収納空間を有し、かつ水道水の出口が二つある蛇口を提供する。【解決手段】支持台１０と供水部２０とバルブスイッチ３０とから構成される本体１を含む蛇口において、支持台は底面１１と上面１２とを有し、その内部に流路が少なくとも一つ設けられ、流路は底面と上面を貫通する。供水部は支持台の上面に設けられ、ほぼハート形を呈し、裏壁面２１と外壁面２２とを有し、上方に開放する左流路２３、右流路２４が形成される。左流路と右流路は支持台の流路と連通し、左流路と右流路の連接箇所に出水口が設けられる。左流路と右流路とから、上下方に開放するハート形空間が構成され、ハート形空間には第１物置穴２７と第２物置穴２８とが形成される。バルブスイッチは本体に設けられており、流路を開閉する。【選択図】図１
0003190676.tif 000002
【実用新案登録請求の範囲】
【請求項１】
支持台と、供水部と、バルブスイッチと、から構成される本体を含む蛇口において、
前記支持台は、底面と、上面と、を有し、その内部に流路が少なくとも一つ設けられており、前記流路は前記底面と前記上面を貫通し、
前記供水部は、前記支持台の上面に設けられており、ほぼハート形を呈し、ほぼハート形を呈する、裏壁面と、外壁面と、を有し、前記裏壁面と前記外壁面とから、上方に開放する、左流路と、右流路と、が形成され、前記左流路と前記右流路は前記支持台の前記流路と連通し、前記左流路と前記右流路の連接箇所で出水口が設けられており、前記左流路と前記右流路とから、上下方に開放するハート形空間が構成され、前記ハート形空間には、第１物置穴と、第２物置穴と、が形成されており、
前記バルブスイッチは、前記本体に設けられており、前記流路を開閉することが可能であることを特徴とする蛇口。
【請求項２】
前記バルブスイッチは引きロッドであることを特徴とする、請求項１に記載の蛇口。
【請求項３】
前記バルブスイッチは電子式センサーであることを特徴とする、請求項１に記載の蛇口。
【考案の詳細な説明】
【技術分野】
【０００１】
本考案は、蛇口に関するものである。
【０００２】
従来の蛇口は、水道水などの流出を制御することの他、それ以外の機能は全くない。このため、従来の蛇口の改良の重点は、蛇口の内部のバルブ、又は外観の造形に置かれる。
【０００３】
しかし、シャワー室に設けられている従来の蛇口は、洗面又はうがいなどをやるときに利用され、クレンザー、石鹸、うがいをやるときに利用されるコップ、歯ブラシ及び歯磨きペーストは、シャワー室の壁面に設けられている収納枠に収納することが必要である。このように、螺子を締結するために、シャワー室の壁面が破壊され、そしてシャワー室の壁面に収納枠を設けると、シャワー室全体の見栄えが悪くなるという問題がある。
【先行技術文献】
【特許文献】
【０００４】
【特許文献１】なし
【考案の概要】
【考案が解決しようとする課題】
【０００５】
本考案の主な目的は、二つの収納空間を有する蛇口を提供することにある。
【０００６】
本考案の次の目的は、水道水の出口が二つある蛇口を提供することにある。
【課題を解決するための手段】
【０００７】
本考案の蛇口によると、支持台と、供水部と、バルブスイッチと、から構成される本体を含む蛇口において、支持台は、底面と、上面と、を有し、その内部に流路が少なくとも一つ設けられており、流路は底面と上面を貫通し、供水部は、支持台の上面に設けられており、ほぼハート形を呈し、ほぼハート形を呈する、裏壁面と、外壁面と、を有し、裏壁面と外壁面とから、上方に開放する、左流路と、右流路と、が形成され、左流路と右流路は支持台の流路と連通し、左流路と右流路の連接箇所で出水口が設けられており、左流路と右流路とから、上下方に開放するハート形空間が構成され、ハート形空間には、第１物置穴と、第２物置穴と、が形成されており、バルブスイッチは、本体に設けられており、流路を開閉することが可能であることを特徴とする。
【０００８】
本考案の蛇口によると、バルブスイッチは引きロッドであることを特徴とする。
【０００９】
本考案の蛇口によると、バルブスイッチは電子式センサーであることを特徴とする。
【考案の効果】
【００１０】
本考案の蛇口によれば、二つの収納空間を有し、そして水道水の出口が二つあるという効果を有する。
【図面の簡単な説明】
【００１１】
【図１】本考案の一実施例を示す斜視図である。
【図２】本考案の一実施例の使用状態を示す模式図である。
【図３】本考案の一実施例の物置状態を示す模式図である。
【図４】本考案の一実施例を示す下面図である。
【考案を実施するための形態】
【００１２】
以下、本考案の実施の形態を図面に基づいて説明する。
図１から図４を参照する。図１は本考案の一実施例を示す斜視図であり、図２は本考案の一実施例の使用状態を示す模式図であり、図３は本考案の一実施例の物置状態を示す模式図であり、図４は本考案の一実施例を示す下面図である。本考案の蛇口は本体１を含む。本体１は、支持台１０と、供水部２０と、バルブスイッチ３０と、から構成される。
【００１３】
支持台１０は、底面１１と、上面１２と、を有し、その内部に流路１３、１３が設けられている。二つの流路１３は、それぞれ常温の水道水と加熱される水道水との流路となる。もちろん、常温の水道水と加熱される水道水を混合して、単一の流路から外部に流出してもよい。流路１３は、底面１１と上面１２を貫通する。底面１１と上面１２の間に開角が形成される。
【００１４】
供水部２０は、支持台１０の上面１２に設けられており、支持台１０と一体成形されることが好ましい。供水部２０は、ほぼハート形を呈し、ほぼハート形を呈する、裏壁面２１と、外壁面２２と、を有する。裏壁面２１と外壁面２２とから、上方に開放する、左流路２３と、右流路２４と、が形成される。左流路２３と右流路２４は、供水部２０の凹み部に遮蔽板２５が設けられている。遮蔽板２５は、ほぼシールド形を呈し、その下方が流路１３と左流路２３及び右流路２４の連通箇所である。左流路２３と右流路２４の連接箇所（先端部）の底面に出水口２６が設けられている。左流路２３と右流路２４とから、上下方に開放するハート形空間が構成される。前記ハート形空間には、第１物置穴２７と、第２物置穴２８と、が形成されている。
【００１５】
バルブスイッチ３０は、本体１に設けられており、流路１３を開閉することが可能である。具体的には、バルブスイッチ３０は、ほぼハート形を呈する引きロッドであり、遮蔽板２５に設けられている。前記引きロッドによる調節により、冷水とお湯の混合比例を制御することが可能である。もちろん、バルブスイッチ３０は電子式センサー（ｓｅｎｓｏｒ）であってもよい。バルブスイッチ３０は、引きロッドと電子式センサーの組合であり、前記引きロッドにより水道水の水温を調節して、電子式センサーにより水道水の流路を開閉することが好ましい。
【００１６】
本考案の蛇口は、従来の蛇口の機能を有する他、図２に示すように、供水部の左流路と右流路の間に形成される第１物置穴と第２物置穴には、うがい用のコップ４０を収容することが可能である。コップ４０は、歯ブラシや歯磨きペーストなどを収容することが可能である。このように、シャワー室に収納枠を設けることが必要なくなる。また、ハート形を呈する供水部は、ハート形空間に二つの物置穴が形成されているため、夫婦のコップを二つの物置穴にそれぞれ挿入して収納することが可能である。もちろん、第１物置穴と第２物置穴には、コップを挿入して収納する他、石鹸ケースを収納することも可能である。
【００１７】
また、ハート形を呈する供水部は、左流路と右流路を形成するため、従来の蛇口が単一の流路を有する設計と相違し、そして左流路と右流路との上方が開放される設計により、ユーザは目で水道水の流量を確認することが可能である。もちろん、左流路と右流路との底面に発光ダイオードを設けて、支持台の流路の内部に温度センサーを設けて、温度センサーと発光ダイオードを電気的に接続することにより、左流路と右流路との流している水道水の水温によって、発光ダイオードは、水道水の水温に対応して、青色（冷水）、オレンジ色（温水）、又は赤色（お湯）を発光してもよい。このように、ユーザは、目で水道水の水温を確認することが可能であり、お湯によるやけどを回避することが可能である。
【産業上の利用可能性】
【００１８】
本考案は、蛇口に適用することができる。
【符号の説明】
【００１９】
１  本体
１０  支持台
１１  底面
１２  上面
１３  流路
２０  供水部
２１  裏壁面
２２  外壁面
２３  左流路
２４  右流路
２５  遮蔽板
２６  出水口
２７  第１物置穴
２８  第２物置穴
３０  バルブスイッチ
４０  コップ
【図１】
0003190676.tif 000003
【図２】
0003190676.tif 000004
【図３】
0003190676.tif 000005
【図４】
0003190676.tif 000006